(57)【要約】【課題】  掃除機本体１００の収容部１１０に取付けられる、サイクロン本体３１０とダストカップ３２０とを備えるサイクロンユニット３００にて、前記ダストカップだけを着脱可能にすることによって、ダストカップのゴミを容易に捨てることができるサイクロン真空掃除機のダストカップの着脱装置を開示する。【解決手段】  開示された本発明は、掃除機本体１００の収容部１１０の底面と対応する下面にその中央から後方に向かって延びた一定の深さ及び幅を有する摺動溝を備えるダストカップ３２０と、ダストカップの摺動溝に配してダストカップの着脱をガイドし、下面には高さの異なる第１及び第２の安着溝を有するカムガイドが備えられたガイド部材３３０と、カムガイドに挿入されるカム突起が備えられたカム部と、該カム部から延びられた回転軸の端部に形成された操作部とを備え、掃除機本体に操作部が掃除機本体の外部に突出されるよう正・逆回転自在に設けられ、カム部の偏心量に該当する高さほどガイド部材を昇降させる作動レバー３４０とを含む。【選択図】      図３
2004209224.tif 000002
【特許請求の範囲】
【請求項１】
掃除機本体の収容部に取付けられる、サイクロン本体及びダストカップを備えるサイクロンユニットで、前記ダストカップだけが着脱できるようにするサイクロン真空掃除機のダストカップ着脱装置において、
前記収容部の底面と対応する下面にその中央から後方に向かって延びた一定の深さ及び幅を有する摺動溝を備えるダストカップと、
前記摺動溝に配して前記ダストカップの着脱をガイドし、下面にはお互い高さの異なる第１及び第２の安着溝を有するカムガイドが備えられたガイド部材と、
前記カムガイドに挿入されるカム突起が備えられたカム部と、該カム部から延びられた回転軸の端部に形成された操作部とを備え、前記掃除機本体に前記操作部が掃除機本体の外部に突出されるよう正・逆回転自在に設けられ、前記カム部の偏心量に該当する高さほど前記ガイド部材を昇降させる作動レバーとを含むことを特徴とするサイクロン真空掃除機のダストカップ着脱装置。
【請求項２】
真空発生装置が格納され、その下側には吸入ブラシが配された掃除機本体と、
前記掃除機本体に備えられた収容部に装着され、前記吸入ブラシと連通された吸気通路を介して吸込まれる空気からゴミを分離し、浄化された空気を真空発生装置と連通した排出通路を介して排出させるサイクロン本体と、
前記サイクロン本体の下側に分離自在に結合され、前記サイクロン本体によって分離されたゴミを収集するダストカップと、を含むサイクロン真空掃除機において、
前記サイクロン本体とは別に前記ダストカップを前記収容部から独立的に着脱させるためのダストカップ着脱装置を備え、
前記ダストカップ着脱装置は、
前記収容部の底面と対応する下面にその中央から後方に向かって延びた一定の深さ及び幅を有する摺動溝を備えるダストカップと、
前記摺動溝に配して前記ダストカップの着脱をガイドし、下面には高さの異なる第１及び第２の安着溝を有するカムガイドが備えられたガイド部材と、
前記カムガイドに挿入されるカム突起が備えられたカム部と、該カム部から延びられた回転軸の端部に形成された操作部とを備え、前記掃除機本体に前記操作部が掃除機本体の外部に突出されるよう正・逆回転自在に設けられ、前記カム部の偏心量に該当する高さほど前記ガイド部材を昇降させる作動レバーとを含むことを特徴とするサイクロン真空掃除機。
【請求項３】
前記サイクロン本体は、その後方部に備えられた止め取っ手が前記掃除機本体の収容部の内側面に形成された取っ手結合部に挿入固定され、前記収容部に定着されることを特徴とする請求項２に記載のサイクロン真空掃除機。
【請求項４】
前記ダストカップの前面には、その扱いのための取っ手が形成されることを特徴とする請求項２に記載のサイクロン真空掃除機。
【発明の詳細な説明】
【技術分野】
【０００１】
本発明は真空掃除機に関し、さらに具体的には吸入空気が旋回気流を形成することにより遠心力によってその気流からゴミを分離するサイクロンユニットを有するサイクロン掃除機のダストカップ着脱装置及びこれを備えるサイクロン真空掃除機に関する。
【背景技術】
【０００２】
前記のようなサイクロン真空掃除機の典型的な一例が図１に示されている。サイクロン真空掃除機は、掃除機本体１０と、掃除機本体１０に備えられた収容部１１に着脱自在に設けられたサイクロンユニット２０とを含む。
【０００３】
掃除機本体１０の内部には、真空発生装置（図示せず）が定着されており、掃除機本体１０の下側には吸入ブラシ１２が設けられる。
【０００４】
サイクロンユニット２０は、サイクロン本体３０と、サイクロン本体３０に着脱自在に結合されるダストカップ４０とを備える。
【０００５】
サイクロン本体３０の上側には、吸入ブラシ１２と連通する吸気通路３１が備えられ、これによって吸入ブラシ１２を介して吸込まれた被掃除面のゴミは吸気通路３１を介してサイクロン本体３０の内部に吸込まれる。ここで吸気通路３１は、これを介して吸込まれる空気がサイクロン本体３０の接線方向に吸込まれるよう配される。従って、吸気通路３１を介して吸込まれる空気は、サイクロン本体３０の内側壁面に沿って旋回気流を形成する。
【０００６】
サイクロン本体３０の上面真ん中には、前記真空発生装置と連通する排出通路３２が設けられる。サイクロン本体３０にはゴミとの離された空気は、排出通路３２と真空発生装置とを介して掃除機本体１０の外部から排出される。そして、サイクロン本体３０にて空気から分離されたゴミはその下側に結合されたダストカップ４０に収集される。
【０００７】
一方、掃除機本体１０のサイクロン収容部１１には、その他端が前記真空発生装置と吸入ブラシ１２とにそれぞれ繋がっているチューブ１３、１４の一端が前方を向かうよう配設され、これに対応してサイクロン本体３０の吸気通路３１と排出通路３２は後方に向かって並設される。よって、サイクロン本体３０の水平移動だけでも吸気通路３１と排出通路３２がチューブ１３、１４へ容易に繋がる。
【０００８】
サイクロン本体３０の後方外側には、止め取っ手３３が回転自在に設けられ、掃除機本体１０に対応する部分においては取っ手結合部１５が形成される。取っ手結合部１５を介して止め取っ手３３を通過させた後、９０度回転させれば、サイクロン本体３０が掃除機本体１０に装着される。
【０００９】
しかし、前述したように一般の真空掃除機は、ダストカップ４０に収集されたゴミを捨てる際に、サイクロンユニット２０全体を掃除機本体１０の収容部１１から取外した後、再びサイクロン本体３０からダストカップ４０を取外さなければならないためユーザはその不便さを感じざるを得なかった。
【００１０】
つまり、従来のサイクロン真空掃除機は、構造上、掃除機本体１０のサイクロン収容部１１からダストカップ４０だけを取外すことはできなかった。従って、サイクロン本体３０の掃除機本体１０についての固定構造を解除しサイクロンユニット２０全体を掃除機本体１０から取外し、再びサイクロン本体３０からダストカップ４０を取外して、その内部に収集されたゴミを捨てた後、前記の逆順でサイクロンユニット２０を掃除機本体１０に装着しなければならなかったので使い勝手がよくないという問題を抱えていた。
【発明の開示】
【発明が解決しようとする課題】
【００１１】
本発明は前述した従来の問題点を解決するために案出されたもので、その目的は、掃除機本体にサイクロン本体が固定された状態でダストカップだけの着脱を可能にすることにより、ダストカップにて収集されたゴミを便利に捨てることができるサイクロン真空掃除機のダストカップ着脱装置を提供することにある。
【００１２】
本発明の更なる目的は、前記のような特徴を有するダストカップ着脱装置を備えることによって使用において大幅向上された真空掃除機を提供することにある。
【課題を解決するための手段】
【００１３】
前述した目的は、本発明によれば掃除機本体の収容部に取付けられる、サイクロン本体及びダストカップとを備えるサイクロンユニットにおいて、前記ダストカップだけが着脱できるようにするサイクロン真空掃除機のダストカップ着脱装置として、前記収容部の底面と対応する下面にその中央から後方に向かって延びた一定の深さ及び幅を有する摺動溝を備えるダストカップと、前記摺動溝に配して前記ダストカップの着脱をガイドし、下面には互いの高さの異なる第１及び第２の安着溝を有するカムガイドが備えられたガイド部材と、前記カムガイドに挿入されるカム突起が備えられたカム部と、該カム部から延びられた回転軸の端部に形成された操作部とを備え、前記掃除機本体に前記操作部が掃除機本体の外部に突出されるよう正・逆回転自在に設けられ、前記カム部の偏心量に該当する高さほど前記ガイド部材を上昇させる作動レバーとを含むことを特徴とするサイクロン真空掃除機のダストカップ着脱装置を提供することにより達成される。
【００１４】
かかる本発明によるサイクロン真空掃除機のダストカップ着脱装置は、前記作動レバーを正・逆回転させればダストカップがサイクロン本体について上下に動く。従って、ダストカップをサイクロン本体とは別に独立的に掃除機本体の収容部から取外して収集されたゴミを捨てることができる。
【００１５】
また、本発明によれば、真空発生装置が格納され、その下側には吸入ブラシが配された掃除機本体と、前記掃除機本体に備えられた収容部に装着され、前記吸入ブラシと連通する吸気通路を介して吸込まれる空気からゴミを分離し、浄化された空気を真空発生装置と連通した排出通路を介して排出するサイクロン本体と、前記サイクロン本体の下側に分離自在に結合され、前記サイクロン本体によって分離されたゴミを収集するダストカップと、を含むサイクロン真空掃除機において、前記サイクロン本体とは別に前記ダストカップを前記収容部から独立的に着脱させるためのダストカップ着脱装置を備え、前記ダストカップ着脱装置は、前記収容部の底面と対応する下面にその中央から後方に向かって延びた一定の深さ及び幅を有する摺動溝を備えるダストカップと、前記摺動溝に配して前記ダストカップの着脱をガイドし、下面には高さの異なる第１及び第２の安着溝を有するカムガイドが備えられたガイド部材と、前記カムガイドに挿入されるカム突起が備えられたカム部と、該カム部から延びられた回転軸の端部に形成された操作部とを備え、前記掃除機本体に前記操作部が掃除機本体の外部に突出されるよう正・逆回転自在に設けられ、前記カム部の偏心量に該当する高さほど前記ガイド部材を上昇させる作動レバーとを含むことを特徴とするサイクロン真空掃除機を提供することによって達成される。
【００１６】
前記サイクロン本体は、その後方部に備えられた止め取っ手が前記掃除機本体の収容部の内側面に形成された取っ手結合部に挿入固定され、前記収容部に装着される。そして、前記ダストカップの前面には、その扱いのための取っ手が形成される。
【発明の効果】
【００１７】
本発明によれば、掃除機本体の収容部に取付けられたサイクロンユニットからダストカップをサイクロン本体とは別に独立的に分離及び装着させることができることによって、ダストカップにて収集されたゴミを捨てる際にダストカップだけを簡単に取外してゴミを捨て、再び取付けることができる。
【００１８】
つまり、サイクロン真空掃除機において使用上の便利性が大幅に向上され、従ってユーザには極めて満足のできる製品を提供することができると共に製品の競争力をも一層高められる。
【発明を実施するための最良の形態】
【００１９】
以下、添付した図面に基づき本発明の望ましい実施形態を具体的に説明する。
【００２０】
図２は、本発明によるダストカップ着脱装置が採用されたサイクロン真空掃除機のサイクロンユニット分離状態斜視図であり、図３は本発明によるダストカップ着脱装置の構造を示した底面斜視図であって、図４Ａ及び図４Ｂは本発明によるダストカップ着脱装置の作用を説明するためのサイクロンユニットの正面図である。
【００２１】
図２中、符号１００は、掃除機本体、２００は吸入ブラシ、３００はサイクロンユニットである。
【００２２】
掃除機本体１００には、サイクロンユニット３００が装着される収容部１１０が備えられる。さらに、掃除機本体１００内部には真空発生装置（図示せず）が装着されており、掃除機本体１００の下側には吸入ブラシ２００が備えられる。
【００２３】
サイクロンユニット３００は、サイクロン本体３１０とダストカップ３２０とを備える。サイクロン本体３１０は、図３に示されたとおり、その後方部に設けられた止め取っ手３１１が掃除機本体１００の収容部１１０の内側面に形成される取っ手結合部（図示せず）に固定されていることによって収容部１１０に力強く装着される。そして、ダストカップ３２０は、サイクロン本体３１０の下部に着脱自在に結合される。
【００２４】
さらに、サイクロン本体３１０の上側には、吸入ブラシ２００と連通する吸気通路３１２が備えられ、これによって吸入ブラシ２００を介して吸込まれる被掃除面のゴミは吸気通路３１２を介してサイクロン本体３１０内に吸込まれる。ここで、吸気通路３１２は、これを介して吸込まれる空気がサイクロン本体３１０の接線方向に吸込まれるよう配され、よって吸気通路３１２を介して吸込まれる空気はサイクロン本体３１０の内側壁面に沿って旋回気流を形成する。
【００２５】
また、サイクロン本体３１０の上面中央には、前記真空発生装置と連通する排出通路３１３が設けられる。サイクロン本体３１０内部でゴミが分離された空気は、排出通路３１３と真空発生装置とを介して掃除機本体１００の外部に排出され、サイクロン本体３１０にて空気から分離されたゴミはダストカップ３２０の方に落下し収集される。
【００２６】
ダストカップ３２０にゴミが充填すれば、ダストカップ３２０を掃除機本体１００から取外して収集されたゴミを捨てるが、この際、本発明の特徴によってダストカップ３２０は、サイクロン本体３１０とは別に掃除機本体１００の収容部１１０から独立的に着脱され得る。
【００２７】
ダストカップ３２０の独立的な着脱のための本発明に係るダストカップ着脱装置において、図２ないし図４に示された通りダストカップ３２０と、ガイド部材３３０と、作動レバー３４０とを備える。
【００２８】
ダストカップ３２０の下面には、大体中央から後方に向かって延びた一定の深さ及び幅を有する摺動溝３２１が備えられる。また、ダストカップ３２０の前面には、それを扱うための取っ手３２２が形成される。
【００２９】
ガイド部材３３０は、摺動溝３２１に置かれ、ダストカップ３２０の着脱をガイドし、その下面には高さの異なる第1及び第２の安着溝３３１ａ、３３１ｂを有するカムガイド３３１を備える。
【００３０】
作動レバー３４０は、カム部３４１及びカム部３４１から延びた回転軸３４２の端部に形成された操作部３４３とを備え、掃除機本体１００に操作部３４３が掃除機本体１００の外側に突出するよう、正・逆回転自在に設けられる。さらに、カム部３４１は、カムガイド３３１に挿入されるカム突起３４１ａを備える。
【００３１】
前記のような作動レバー３４０は、例えば、ユーザの操作によって９０°角度で正・逆回転しながらカム部３４１の偏心量に該当する高さほど、ガイド部材３３０を昇降させる。
【００３２】
ガイド部材３３０の昇降によってダストカップ３２０がサイクロン本体３１０について昇降されることによって、ダストカップ３２０がサイクロン本体３１０と別に独立的に取外すことができる。これにつき、図３、図４Ａ及び図４Ｂを参照して説明する。
【００３３】
図４Ａは、作動レバー３４０が、例えば、逆方向で９０°ほど回転し、そのカム部３４１のカム突起３４１ａが、ガイド部材３３０のカムガイド３３１の第２の安着溝３３１ｂに置かれた状態である。この際、ガイド部材３３０は、所定の高さほど降下し、よってガイド部材３３０に摺動結合された摺動溝３２１を有するダストカップ３２０もやはり降下されるため、ダストカップ３２０はサイクロン本体３１０から一定間隔をおいて離隔される。このような状態でダストカップ３２０の取っ手３２２をつかんで前方に引っ張ると、ダストカップ３２０だけが掃除機本体１００の収容部１１０から取外される。
【００３４】
ダストカップ３２０内のゴミを捨てた後、ダストカップ３２０が図４Ａのような位置に置かれた状態で、作動レバー３４０を、例えば、正方向で９０°回転させれば、そのカム部３４１のカム突起３４１ａがガイド部材３３０のカムガイド３３１の第２の安着溝３３１ｂから第１の安着溝３３１ａに移動しながら、ガイド部材３３０を所定の高さほど上昇させ、これによってダストカップ３２０が上昇しサイクロン本体３１０に結合される（図４Ｂ参照）。
【００３５】
このように本発明に係るサイクロン真空掃除機のダストカップ着脱装置は、簡単なレバー操作でダストカップ３２０をサイクロン本体３１０から分離及び結合させることができ、よって掃除機本体１００の収容部１１０からサイクロン本体３１０とは別にダストカップ３２０だけが分離及び装着可能になる。従ってダストカップ３２０に収集されたゴミをより便利に捨てることができる。
【００３６】
以上、添付図面を参照しながら本発明に係る好適な実施形態について説明したが、本発明はかかる例に限定されない。当業者であれば、特許請求の範囲に記載された技術的思想の範疇内において各種の変更例又は修正例に想到し得ることは明らかであり、それらについても当然に本発明の技術的思想に属するものと了解される。
【図面の簡単な説明】
【００３７】
【図１】一般の真空掃除機のサイクロンユニット分離状態斜視図である。
【図２】本発明によるダストカップ着脱装置が採用されたサイクロン真空掃除機のサイクロンユニット分離状態斜視図である。
【図３】本発明によるダストカップ着脱装置の構造を示した底面斜視図である。
【図４Ａ】本発明によるダストカップ着脱装置の作用を説明するためのサイクロンユニットの正面図である。
【図４Ｂ】本発明によるダストカップ着脱装置の作用を説明するためのサイクロンユニットの正面図である。
【符号の説明】
【００３８】
１００  掃除機本体
１１０  サイクロン収容部
２００  吸入ブラシ
３００  サイクロンユニット
３１０  サイクロン本体
３１１  止め取っ手
３１２  吸気通路
３１３  排出通路
３２０  ダストカップ
３２１  摺動溝
３２２  取っ手
３３０  ガイド部材
３３１  カムガイド
３３１ａ、３３１ｂ：第１及び第２の安着溝
３４０  作動レバー
３４１  カム部
３４１ａ  カム突起
３４２  回転軸
３４３  操作部
【図１】
2004209224.tif 000003
【図２】
2004209224.tif 000004
【図３】
2004209224.tif 000005
【図４Ａ】
2004209224.tif 000006
【図４Ｂ】
2004209224.tif 000007